(57)【特許請求の範囲】
【請求項１】
先端にカード側端子を有したカード部材と、先端に本体側端子を有し前記カード部材を挿抜可能であり前記カード部材を挿着すると前記カード側端子に前記本体側端子が接触し前記本体側端子及び前記カード部材間が電気的に接続された状態となって前記カード部材を保持するカード保持部材と、前記カード保持部材及び前記カード部材間に設けられ前記カード部材の挿抜とともに前記カード部材の挿抜方向に摺動するスライダと、前記スライダ及び前記カード部材間に設けられ前記カード部材を前記スライダに係合させる係合機構と、前記スライダ及び前記カード保持部材間に設けられ前記カード部材の押し込み操作に応じて前記カード側端子と前記本体側端子が接触した状態で前記カード部材が前記カード保持部材に保持された接触状態位置及び前記カード部材を前記カード保持部材に対して挿抜可能な挿抜可能位置に位置決め保持するカム機構とを有するカードコネクタにおいて、
前記カム機構は、前記スライダに設けられたカム部材に突設したカム突出部と、前記カム突出部に対向配置された前記カード保持部材の内壁に設けられ前記カード部材を前記接触状態位置及び前記挿抜可能位置に保持させるカム溝と、を有し、
前記係合機構は、前記スライダに設けられた係合突出部と、前記係合突出部に対向する前記カード部材の壁面に前記係合突出部に係合する係合凹部と、を有し、
前記カム部材は揺動部材からなり、前記揺動部材の一方の端部が前記スライダ内に回転自在に接続され前記揺動部材の他方の端部が前記カード保持部材の厚さ方向及び幅方向に揺動自在であり、前記揺動部材の前記他方の端部が前記カム突出部を形成し、前記揺動部材の中間部が前記係合突出部を形成することを特徴とするカードコネクタ。
【請求項２】
前記係合突出部の形状は、前記カード部材が引き抜かれる方向に移動して前記係合凹部の内壁面が前記係合突出部に当接したときに作用する力のうち前記係合突出部を前記係合凹部から離反させる方向に作用する力の大きさが前記カード部材の引き抜き方向の力の大きさよりも小さくなるような形状に形成されていることを特徴とする請求項１記載のカードコネクタ。
【発明の詳細な説明】
【０００１】
【産業上の利用分野】
本発明は、カードコネクタに関し、さらに詳細には、先端に端子を有したカード部材と、先端に接続端子を有しカード部材を挿抜可能でありカード部材を挿着すると端子に接触端子が接触して接続端子とカード部材間を電気的に接続した状態でカード部材を保持するカード保持部材とを有し、カード部材を挿着するとき及びカード部材を抜き出すときにカード部材を押し込み操作するカードコネクタに関する。
【０００２】
【従来の技術】
先端部にカード側端子を有したメモリカード等のカード部材を本体側端子を有したカード保持部材に挿入してカード側端子を本体側端子に接触させた状態でカード部材をカード保持部材に保持させるカードコネクタとして、例えば、特開平１１−１３５１９２号公報に開示されているものがある。この開示されたカードコネクタは、板状のカード部材と、一端に本体側端子を有し他端に開口部を有した有底角筒状のカード保持部材と、カード保持部材内における幅方向の一方の側壁側にカード部材のカード保持部材への挿抜とともに摺動するスライダと、を有して構成されている。
【０００３】
スライダは直方体形状であり、スライダのカード部材側の側面にはカード部材の側面に形成された係合凹部に係合する係合突起が設けられている。このため、カード部材をカード保持部材に挿入すると、スライダの係合突起がカード部材の係合凹部に係合してカード部材をスライダに係合させることができる。
【０００４】
また、スライダのカード部材側の側面と反対側の側面にはカム溝が刻設されている。このカム溝はカム溝が形成されたスライダの側面に対向配置されたカード保持部材の内壁に突設されたカム突出部と併せてカム機構を構成している。カム機構は、カード部材の押し込み操作に応じてカード側端子と本体側端子が接触した状態でカード部材がカード保持部材に保持された接触状態位置及びカード部材をカード保持部材に対して挿抜可能な挿抜可能位置に位置決め保持する機能を有している。
【０００５】
このため、カード部材をカード保持部材に挿着するためにカード部材をカード保持部材に押し込み操作すると、カム機構によりカード部材が接触状態位置で保持され、即ち、カード側端子と本体側端子が接触した状態でカード部材がカード保持部材に保持される。また、カード部材をカード保持部材から抜脱するためにカード部材をカード保持部材に押し込み操作すると、カム機構がカード部材を挿抜可能位置に移動させて保持しカード部材をカード保持部材から抜脱可能な状態にする。
【０００６】
【発明が解決しようとする課題】
しかしながら、カム機能のカム突出部はスライダの側面に対向配置されたカード保持部材の内壁に設けられているので、カード部材の幅寸法に対したカードコネクタの幅寸法を大きくし、また、組立工数を増加させる。
【０００７】
また、カード部材をスライダに挿入し易くするためスライダに設けられた係合突起の形状は半円形状（Ｒ形状）に形成されている。また、スライダはカード保持部材に対してカード保持部材の開口部側へ付勢するバネにより付勢されている。このため、カード部材の抜脱をする場合、カード部材を押し込み操作した後にカード部材から手を離すと、スライダは開口部側へバネの付勢を得て移動し挿抜可能位置で停止するが、挿抜可能位置でカード部材の係合凹部から係合突起に係合突起の係合状態を解放させる方向の力が作用して係合突起が係合凹部から離反する方向に移動し、その結果、カード部材がカード保持部材から勢いよく外に飛び出す、という問題が発生する。
【０００８】
本発明はこのような問題に鑑みてなされたものであり、カードコネクタの幅方向の形状を小型化するとともに、カード部材の飛び出しのない係合機構を有したカードコネクタを提供することを目的とする。
【０００９】
【課題を解決するための手段】
前記課題を解決するために本発明のカードコネクタは、先端にカード側端子を有したカード部材と、先端に本体側端子を有しカード部材を挿抜可能でありカード部材を挿着するとカード側端子に本体側端子が接触し本体側端子及びカード部材間が電気的に接続された状態となってカード部材を保持するカード保持部材と、カード保持部材及びカード部材間に設けられカード部材の挿抜とともにカード部材の挿抜方向に摺動するスライダと、スライダ及びカード部材間に設けられカード部材をスライダに係合させる係合機構と、スライダ及びカード保持部材間に設けられカード部材の押し込み操作に応じてカード側端子と本体側端子が接触した状態でカード部材がカード保持部材に保持された接触状態位置及びカード部材をカード保持部材に対して挿抜可能な挿抜可能位置に位置決め保持するカム機構とを有するカードコネクタにおいて、カム機構は、スライダに設けられたカム部材に突設したカム突出部と、カム突出部に対向配置されたカード保持部材の内壁に設けられカード部材を接触状態位置及び挿抜可能位置に保持させるカム溝と、を有し、係合機構は、スライダに設けられた係合突出部と、係合突出部に対向するカード部材の壁面に係合突出部に係合する係合凹部と、を有し、カム部材は揺動部材からなり、揺動部材の一方の端部がスライダ内に回転自在に接続され揺動部材の他方の端部がカード保持部材の厚さ方向及び幅方向に揺動自在であり、揺動部材の他方の端部がカム突出部を形成し、揺動部材の中間部が係合突出部を形成して構成される。
【００１０】
本発明のカードコネクタによれば、カード部材をカード保持部材に挿着するためにカード部材をカード保持部材に押し込み操作すると、スライダがカード保持部材の先端側へ移動するとともにスライダの係合突出部がカード部材の係合凹部に係合してカード部材がスライダに係合される。また、スライダに設けられたカム機構のカム突出部がカム機構のカム溝に案内されながら移動してカード部材がカード保持部材に接触状態位置に保持される。即ち、カード側端子に本体側端子が接触し本体側端子及びカード部材間が電気的に接続された状態となってカード部材がカード保持部材に保持される。
【００１１】
接触状態位置に保持させたカード部材をカード保持部材から抜脱するには、カード部材に対して押し込み操作を行なう。押し込み操作が行なわれると、カム機構がカード部材を挿抜可能位置に移動させて保持してカード部材をカード保持部材から抜脱可能な状態にする。そして、カード部材の引き抜き操作が行なわれると係合機構のスライダに対するカード部材の係合状態が解除されてカード部材がカード保持部材から抜脱される。
【００１２】
このように、カム機構のカム突出部をスライダに設け、カム機構のカム溝をカード保持部材の内壁に設けることで、カム突出部をカード保持部材に設けていた従来技術と比較してカード部材の幅寸法に対したカードコネクタの幅寸法を小さくしてカードコネクタ全体を小型化することができる。
【００１４】
本発明のカードコネクタによれば、カード部材をカード保持部材に対して押し込み操作をすると、スライダに設けられた揺動部材の係合突出部が係合凹部に係合してカード部材をスライダに係合させるとともに、カム突出部がカム溝に従って移動してカム機構がカード部材を接触状態位置及び挿抜可能位置に位置決め保持させる。
【００１５】
このように、スライダに設けられた揺動部材にカム機構の一部であるカム突出部と係合機構の一部である係合突出部とを設けることで、係合突出部とカム突出部を別個に設けていた従来技術と比較すると、カードコネクタの組立性を向上させることができる。
【００１６】
また、上記構成のカードコネクタにおいて、係合突出部の形状は、カード部材が引き抜かれる方向に移動して係合凹部の内壁面が係合突出部に当接したときに作用する力のうち係合突出部を係合凹部から離反させる方向に作用する力の大きさがカード部材の引き抜き方向の力の大きさよりも小さくなるような形状に形成することが好ましい。
【００１７】
上記構成のカードコネクタによれば、カード部材を抜脱する場合、カード部材を押し込み操作した後に手を離すと、スライダは開口部側へ移動し挿抜可能位置で停止する。このとき、カード部材の係合凹部の内壁面から係合突出部に力が作用するが、この力のうち係合突出部を係合凹部から離反させる方向に作用する力の大きさはカード部材の引き抜き方向の力の大きさよりも小さい。このため、係合突出部の係合凹部から離反する方向への移動量は小さくなり、挿抜可能位置でカード部材がスライダに係合された状態で保持される。
【００１８】
このように、係合突出部の形状を、カード部材が引き抜かれる方向に移動して係合凹部の内壁面が係合突出部に当接したときに作用する力のうち係合突出部を係合凹部から離反させる方向に作用する力の大きさがカード部材の引き抜き方向の力の大きさよりも小さくなるような形状にすることで、挿抜可能位置におけるカード部材の飛び出しを防止することができる。
【００１９】
【発明の実施の形態】
以下、本発明の好ましい実施の形態を図１から図７を使用して説明する。本実施の形態はカード側端子を有したメモリカード等のカード部材を本体側端子を有したカード保持部材に挿入してカード側端子を本体側端子に接触させた状態でカード部材をカード保持部材に保持させるカードコネクタの態様を示す。
【００２０】
カードコネクタ１は、図１に示すように、カード部材３と、カード部材３を挿抜可能なカード保持部材５と、カード保持部材５内における幅方向（図１の左右方向）の右側壁側にカード部材３のカード保持部材５への挿抜とともに上下方向に摺動するスライダ７と、を有して構成されている。
【００２１】
カード部材３は板状であり、その先端部（図１の下方）に左右方向へ所定の間隙を有して配置された複数のカード側端子９を有し、カード部材３の先端右側の縁部には矩形状の段部１１を有し、この段部１１の外側形状はカード部材３の先端に進むに従って漸次内側に傾斜する円弧状をなし、段部１１よりもカード部材の後端側には先端が円弧状の係合凹部１３が設けられている。カード保持部材５は、図２（ｂ）に示すように、上部に開口部１５を有して有底角筒状をなし、その下端左側には図１に示すカード側端子９に接続され左右方向へ所定の間隙を有して配置された本体側端子１７が複数設けられている。カード保持部材５の手前側の側壁１５ａにおける右側上部の内側にはカム溝１９が設けられている。
【００２２】
カム溝１９は先端に２つの凸部２１を有し後端側で合流して開口部１５側へ延びた形状をなしている。ここで、図３（ａ）はカム溝１９の平面図を示し、図３（ｂ）は同図（ａ）のＩ−Ｉ矢視に相当する部分の断面図を示し、図（ｃ）は同図（ａ）のＩＩ−ＩＩ矢視に相当する部分の断面図を示し、図（ｄ）は同図（ａ）のＩＩＩ−ＩＩＩ矢視に相当する部分の断面図を示す。図３（ａ）及び（ｂ）に示すように、カム溝１９は点Ａから点Ｂまでは同一深さｙの平らな面であり、点Ｂから点Ｃまでは上方へ傾斜する傾斜面でありこの部分のカム溝１９の深さｙは点Ｃに進むに従って漸次浅くなり、点Ｃから点Ｄまでは点Ｃと同一深さｙを有した平らな面であり、点Ｄから点Ｅまでは段部を形成しこの部分のカム溝１９の深さｙは点Ｃのそれよりも深くなっている。また、図３（ｃ）に示すように、点Ｅから点Ｆまでは点Ｄから点Ｅまでと同一深さｙの同一面であり、点Ｆ乃至点Ｈまでは段部となりこの部分のカム溝１９の深さｙは点Ｄ乃至点Ｆのそれよりも深くなっている。点Ｈから点Ｉまでは段部となりこの部分のカム溝１９の深さｙは点Ｆ乃至点Ｈのそれよりも深くなっている。更に、図３（ｄ）に示すように、点Ｉから点Ｊまでは点Ｈから点Ｉまでの面と同一面であり、点Ｊ乃至点Ｌまでは上方へ傾斜する傾斜面でありカム溝の深さｙは点Ｌに進むに従って漸次浅くなり、点Ｌは点Ａよりも上方に配設されている。このため、点Ｌよりも点Ａ側に段部が形成されている。図２（ｂ）に示す点Ａから上方には点Ａと同一深さの溝が延出している。カード保持部材５の手前側の側壁１５ａ上部には内側に係止突起２３ａを有しカード保持部材１５の厚さ方向に弾性変形可能な係止片２３が設けられている。
【００２３】
スライダ７は、図４に示すように、直方体形状であり、同図（ａ）に示すように、その中央部には左右方向に延びる段部２５が形成され、段部２５の左端に棒状の揺動部材２７の左側端部が上下左右方向に揺動自在に接続され、揺動部材２７の右側端部がスライダ７の延出方向と略同一方向に延出している。揺動部材２７の中間部には上方へ湾曲した係合突出部２９が設けられている。係合突出部２９は矩形状であり、係合突出部２９の左側の左側突出片２９ａと揺動部材２７の基部の延出方向とのなす角度θ１は鈍角を有している。尚、角度θ１は、カード部材３が引き抜かれる方向に移動して係合凹部１３の内壁面が係合突出部２９に当接したときに係合突出部２９に作用する力のうち係合突出部２９を係合凹部１３から離反させる方向に作用する力の大きさがカード部材３の引き抜き方向の力の大きさよりも小さくなってカード部材３がスライダ７に係止されることができる角度でればよい。係合突出部２９の頂部の頂部突出片２９ｂと揺動部材２７の基部の延出方向とのなす角度θ２は９０度を越え１８０度以下の角度を有している。
【００２４】
揺動部材２７の先端部には、図４（ｂ）に示すように、スライダ７の延出方向と略直角方向の上方へ屈曲したカム突出部３１が設けられている。このカム突出部３１の先端部は図４（ａ）に示すスライダ７の側壁に設けられた切り欠き孔３３を貫通して外部に突出している。図４（ｂ）に示す段部２５内にはカム突出部３１をその先端側へ付勢する板ばね３５が取り付けられており、板ばね３５の先端部がカム突出部３１の後端部に当接して付勢している。スライダ７の手前側側壁３７の右端には外側へ突出する係止段部３９が設けられている。また、スライダ７の左端底部には左側壁に開口部４１ａを有しスライダ７の延出方向へ延出するバネ挿着穴４１が設けられている。スライダ７の左端上部には上方へ突出する板状の係止部４３が設けられている。
【００２５】
スライダ７は、図１に示すカード保持部材５内の右端側であって係合突出部２９がカード部材３側へ突出し且つカム突出部３１が図１の紙面の奥側から手前側へ突出する方向に向くように設置されている。そして、カード保持部材５内の先端右側に取り付けられたコイルバネ４５の後端部側がスライダ７のバネ挿着穴４１に挿入されている。
【００２６】
次に、本発明のカードコネクタ１の作用を説明する。カード保持部材５にカード部材３を挿着するには、図５（ａ）に示すように、カード部材３の基部を把持しカード側端子９を先端に向けてカード保持部材５の開口部１５に挿入する。開口部１５にカード部材３が挿入されると、カード部材３の下側の側壁がスライダ７の側壁に摺接し、カード部材３がスライダ７をカード側端子９側に移動させながら係合突出部２９を乗り越え、カード部材３の段部１１がスライダ７の係止部４３に当接してカード部材３がスライダ７に保持される。
【００２７】
ここで、図５（ｂ）はカード部材３がスライダ７に位置決めされた状態を示している。同図に示すように、揺動部材２７の係合突出部２９の上下位置はカム溝１９の点Ａの位置でフリーの状態（カード部材３をカード保持部材５に対して挿抜可能な状態）にあり（以下、この位置を「挿抜可能位置」と記す。）、係合突出部２９の係合凹部１３内への突出量は僅かな状態であり、カード部材３の段部１１の外側形状が円弧状であり、更に係合突出部２９の頂部突出片２９ｂは左側へ大きく傾いている。このため、カード部材３がカード保持部材５に挿入されてカード部材３の円弧状の先端部が頂部突出片２９ｂに当接すると揺動部材２７が下側へ揺動して頂部突出片２９ｂが下側へ移動する。このため、カード部材３はスライダ７の所定位置に容易に挿入することができ、頂部突出片２９ｂの戻りによりカード部材３がスライダ７に保持される。
【００２８】
そして、図５（ｂ）に示す挿抜可能位置からカード部材３をその先端側へ押圧すると、図６に示すように、スライダ７がコイルバネ４５の付勢力に抗して先端側へ移動する。また、これと同時に、カム突出部３１が図３（ｂ）に示す点Ａ乃至点Ｄに移動して図６に示す揺動部材２７を上方へ揺動させ、係合突出部２９の係合凹部１３内への突出量を増加させる。このため、カード部材３のスライダ７との係合状態が確実になり、カード部材３がカード保持部材５の本体側端子１７に接近して、カード側端子５と本体側端子１７間の摩擦に抗してこれらを接続させることができる。
【００２９】
そして、カム突出部３１が図３（ａ）に示す点Ｄから点Ｅ（以下、点Ｅの位置を「下死点」と記す。）に移動してカム突出部３１の移動が規制されると、カード部材３への押圧を止める。カード部材３の押圧を止めると、図７（ａ）に示すコイルバネ４５の付勢力により図７（ｂ）に示すカム突出部３１は点Ｇに移動して停止する。更に詳細には、図３（ａ）及び（ｃ）に示すように、カム突出部３１が下死点（点Ｅ）に移動してカード部材３への押圧が無くなると、カム突出部３１は点Ｅから点Ｄの方向へ移動するが、点Ｄは上方へ突出する段部を形成しているのでカム突出部３１は点Ｄから点Ｃの方向へ移動することができず、点Ｆの方向へ移動し点Ｆよりも溝の深い点Ｇまで移動して停止する。そして、図７（ａ）に示すカード側端子９が本体側端子１７に接続された状態でカード部材３がカード保持部材５に保持される。尚、カード側端子９と本体側端子１７が接触した状態でカード部材３がカード保持部材５に保持された図７（ｂ）に示す点Ｇの位置を以下、「接触状態位置」と記す。
【００３０】
次に、接触状態位置にあるカード部材３をカード保持部材５から抜脱するには、図７（ａ）に示すカード部材３を本体側端子１７側へ押圧する。カード部材３が押圧されると、カム突出部３１は図７（ｂ）及び図３（ｃ）に示す点Ｇから点Ｈを通り点Ｉに移動し、点Ｉでその移動が規制される。（以下、点Ｉの位置を「下死点」と記す。）。そして、点Ｉでカード部材３の押圧操作を止めるとコイルバネ４５の付勢力によりスライダ７が本体側端子１７から離反する方向（図７紙面の右側方向）へ移動するとともに、カム突出部３１が点Ｉから点Ｊ、点Ｋ、点Ｌを通って点Ａの挿抜可能位置に戻って停止する。
【００３１】
ここで、カム突出部３１が点Ａの挿抜可能位置に戻って停止したときに、図５（ｂ）に示す係合凹部１３の内壁面１３ａが係合突出部２９の左側突出片２９ａに当接すると、左側突出片２９ａに作用する力のうち係合突出部２９を係合凹部１３から離反させる方向に作用する力の大きさはカード部材３の引き抜き方向の力の大きさよりも小さいので、揺動部材２７がフリーの状態であっても揺動部材２７の下側へ揺動は殆ど無く、係合突出部２９が係合凹部１３から離反する方向に移動しない。このため、挿抜可能位置においもカード部材３はスライダ７に保持された状態が維持され、カード部材３がカード保持部材５から飛び出すことを防止することができる。
【００３２】
但し、挿抜可能位置における係合突出部２９の係合凹部１３への突出量は小さいので、挿抜可能位置においてカード部材３を引き抜く方向に力を作用させることで、カード部材３をカード保持部材５から容易に抜脱することができる。
【００３３】
尚、カード部材３を抜脱する際にスライダ７の端部がカード保持部材５の開口部１５の近くまで移動しても図４（ａ）に示すスライダ７に設けられた係止部３９が図２（ｂ）に示すカード保持部材５に設けられた係止片２３の係止突起２３ａに当接してスライダ７を係止するので、スライダ７がカード保持部材５から抜け落ちることはない。
【００３４】
尚、前述した実施の形態では、図１に示すように、カム突出部３１の突出方向を図１の紙面の裏側から表側の方向とし、カム溝１９をこのカム突出部３１の先端部に対向配置されたカード保持部材５の側面の内側に設けたがこれに限るものではなく、カム突出部３１の突出方向を図１の紙面の表側から裏側の方向とし、カム溝１９をこのカム突出部の先端部に対向配置されたカード保持部材５の側面の内側に設けることができる。
【００３５】
【発明の効果】
本発明によるカードコネクタによれば、カム機構のカム突出部をスライダに設け、カム機構のカム溝をカード保持部材の内壁に設けることで、カム突出部をカード保持部材に設けていた従来技術と比較してカード部材の幅寸法に対したカードコネクタの幅寸法を小さくしてカードコネクタ全体を小型化することができる。
【００３６】
また、本発明によるカードコネクタによれば、カム部材は揺動部材からなり、揺動部材の一方の端部がスライダ内に回転自在に接続され揺動部材の他方の端部がカード保持部材の厚さ方向及び幅方向に揺動自在であり、揺動部材の他方の端部がカム突出部を形成し、揺動部材の中間部が係合突出部を形成する。このように、本発明によるカードコネクタは、スライダに設けられた揺動部材にカム機構の一部であるカム突出部と係合機構の一部である係合突出部とを設けることで、係合突出部とカム突出部を別個に設けていた従来技術と比較すると、カードコネクタの組立性を向上させることができる。
【００３７】
更に、係合突出部の形状を、カード部材が引き抜かれる方向に移動して係合凹部の内壁面が係合突出部に当接したときに作用する力のうち係合突出部を係合凹部から離反させる方向に作用する力の大きさがカード部材の引き抜き方向の力の大きさよりも小さくなるような形状に形成する場合には、挿抜可能位置において係合突出部の係合凹部から離反する方向への移動量を小さくすることができ、カード部材の飛び出しを防止することができる。
【図面の簡単な説明】
【図１】本発明の一実施の形態におけるカードコネクタの平面図を示す。
【図２】本発明の一実施の形態におけるカードコネクタのカード保持材を示し、同図（ａ）はカード保持材の上面図であり、図（ｂ）はカード保持材の平面図である。
【図３】本発明の一実施の形態におけるカードコネクタのカム溝を示し、同図（ａ）はカム溝の平面図であり、図（ｂ）は同図（ａ）のＩ−Ｉ矢視に相当する部分の断面図であり、図（ｃ）は同図（ａ）のＩＩ−ＩＩ矢視に相当する部分の断面図であり、図（ｄ）は同図（ａ）のＩＩＩ−ＩＩＩ矢視に相当する部分の断面図である。
【図４】本発明の一実施の形態におけるカードコネクタのスライダを示し、同図（ａ）はスライダの平面図であり、図（ｂ）は同図（ａ）の上面図であり、図（ｃ）は同図（ａ）の右側面図である。
【図５】本発明の一実施の形態におけるカードコネクタの作用を説明するための図である。
【図６】本発明の一実施の形態におけるカードコネクタの作用を説明するための図である。
【図７】本発明の一実施の形態におけるカードコネクタの作用を説明するための図である。
【符号の説明】
１  カードコネクタ
３  カード部材
５  カード保持部材
７  スライダ
９  カード側端子
１３  係合凹部（係合機構）
１７  本体側端子
１９  カム溝（カム機構）
２７  揺動部材（カム部材）
２９  係合突出部（係合機構）
３１  カム突出部（カム機構）
【図１】
0004318360.tif 000002
【図２】
0004318360.tif 000003
【図３】
0004318360.tif 000004
【図４】
0004318360.tif 000005
【図５】
0004318360.tif 000006
【図６】
0004318360.tif 000007
【図７】
0004318360.tif 000008